(57)【要約】【課題】診療の効率化や省力化を図りつつ、必要な検査データを医師に提供する。【解決手段】実施形態の眼科情報処理システムは、眼科診療で得られた情報を処理する。格納部は、過去に取得された検査データを患者ごとに格納する。受付部は、患者に対して新たに実施された診療行為の種別を表す新規診療種別と、この診療行為により取得された新規検査データと、この患者に付与された患者識別子とを受け付ける。検査データ取得部は、受け付けられた新規診療種別と患者識別子とに基づいて、この新規検査データと同種のこの患者の過去の検査データを格納部から取得する。レポート作成部は、所定のレポートテンプレートと、検査データ取得部により取得された検査データと、受付部により受け付けられた新規検査データとに基づいて、この患者の検査レポートを作成する。【選択図】図１
2019141642.tif 000002
【特許請求の範囲】
【請求項１】
眼科診療において取得された情報を処理する眼科情報処理システムであって、
過去に取得された検査データを患者ごとに格納する格納部と、
患者に対して新たに実施された診療行為の種別を表す新規診療種別と、当該診療行為により取得された新規検査データと、当該患者に付与された患者識別子とを受け付ける受付部と、
前記受付部により受け付けられた前記新規診療種別と前記患者識別子とに基づいて、前記新規検査データと同種の当該患者の過去の検査データを前記格納部から取得する検査データ取得部と、
所定のレポートテンプレートと、前記検査データ取得部により取得された前記検査データと、前記受付部により受け付けられた前記新規検査データとに基づいて、当該患者の検査レポートを作成するレポート作成部と
を備える眼科情報処理システム。
【請求項２】
前記検査データ取得部は、前記格納部に格納されている検査データのうちから前記患者識別子に関連付けられた検査データを特定する第１処理と、前記新規診療種別に基づき前記新規検査データの種別を特定する第２処理と、前記第１処理で特定された検査データのうちから前記第２処理で特定された前記種別と同種の検査データを検索する第３処理と、前記第３処理で検索された検査データを前記格納部から読み出す第４処理とを実行する
ことを特徴とする請求項１に記載の眼科情報処理システム。
【請求項３】
前記レポート作成部は、前記検査データ取得部により取得された前記検査データの個数に応じて、当該検査データが埋め込まれる前記所定のレポートテンプレート内の領域のサイズ及び位置の少なくともいずれかを変更する
ことを特徴とする請求項１または請求項２に記載の眼科情報処理システム。
【請求項４】
前記検査データ取得部により取得された前記検査データの少なくとも一部と、前記受付部により受け付けられた前記新規検査データの少なくとも一部とを解析する解析部を備え、
前記レポート作成部は、前記所定のレポートテンプレートに提示される情報の種別に基づいて、当該情報を取得するための解析処理の種別を表す種別情報と、前記検査データ取得部により取得された前記検査データ及び前記新規検査データのうち当該種別情報に対応する解析処理に供される検査データとを前記解析部に提供し、
前記解析部は、前記レポート作成部から提供された前記検査データに、当該種別情報に対応する解析処理を施す
ことを特徴とする請求項１〜請求項３のいずれか一項に記載の眼科情報処理システム。
【請求項５】
前記解析部は、当該患者に診療行為を実施して前記新規検査データを取得した検査装置とネットワークを介して接続されたコンピュータ装置に設けられている
ことを特徴とする請求項４に記載の眼科情報処理システム。
【発明の詳細な説明】
【技術分野】
【０００１】
この発明は眼科診療において取得された情報を処理するシステムに関する。
【背景技術】
【０００２】
眼科診療においては様々な情報が参照される。このような情報の例として、眼科検査により取得されるデータ（検査データ）がある。検査データには、被検眼を撮影して取得される画像データや、被検眼の特性を物理的手段により測定して取得される測定データや、画像データや測定データを解析して取得される解析データなどがある。なお、光干渉断層計（ＯＣＴ）の応用に見られるように、検査データの種別は近年増加している。
【０００３】
医師は、診療行為の種別（診療種別）に応じて取得された様々な検査データを参照する。検査データは、医療機関内に構築されたデータベースにより管理される。近年では、クラウド上のデータベースで検査データの管理や処理を実行するシステムも登場している。
【先行技術文献】
【特許文献】
【０００４】
【特許文献１】特開２０１３−１９８５８７号公報
【特許文献２】特開２０１３−０８１６０１号公報
【発明の概要】
【発明が解決しようとする課題】
【０００５】
従来の典型的な眼科情報処理システムにおいては、個々の患者の診療（診察、診断、治療等）を行うたびに、当該患者の検査データがデータベースからクライアント端末に提供される。このような眼科情報処理システムは、医師が任意に選択した検査データを提供する構成や、過去の検査データを全て送信する構成を有する。
【０００６】
前者の構成では、医師が検査データを選択する作業を行わなければならない。特に、診療種別に応じて参照すべき検査データを選択する必要がある。このような作業には手間や時間が掛かる。
【０００７】
一方、後者の構成では、送信される検査データの量が一般に多くなるため、送信時間が長くなったり、ネットワークのトラフィックの制限を受けたり、トラフィックに負荷を掛けるといった問題が生じる。
【０００８】
この発明は、上記のような問題を解決するためになされたものであり、その目的は、診療の効率化や省力化を図りつつ、必要な検査データを医師に提供することが可能な眼科情報処理システムを提供することにある。
【課題を解決するための手段】
【０００９】
実施形態は、眼科診療において取得された情報を処理する眼科情報処理システムであって、過去に取得された検査データを患者ごとに格納する格納部と、患者に対して新たに実施された診療行為の種別を表す新規診療種別と、当該診療行為により取得された新規検査データと、当該患者に付与された患者識別子とを受け付ける受付部と、前記受付部により受け付けられた前記新規診療種別と前記患者識別子とに基づいて、前記新規検査データと同種の当該患者の過去の検査データを前記格納部から取得する検査データ取得部と、所定のレポートテンプレートと、前記検査データ取得部により取得された前記検査データと、前記受付部により受け付けられた前記新規検査データとに基づいて、当該患者の検査レポートを作成するレポート作成部とを備える。
【発明の効果】
【００１０】
実施形態によれば、診療の効率化や省力化を図りつつ、必要な検査データを医師に提供することが可能である。
【図面の簡単な説明】
【００１１】
【図１】実施形態に係る眼科情報処理システムの構成の一例を表す概略図である。
【図２】実施形態に係る眼科情報処理システムの動作の一例を表すフローチャートである。
【図３】実施形態に係る眼科情報処理システムの構成の一例を表す概略図である。
【図４】実施形態に係る眼科情報処理システムの構成の一例を表す概略図である。
【図５】実施形態に係る眼科情報処理システムの構成の一例を表す概略図である。
【図６】実施形態に係る眼科情報処理システムの動作の一例を表す概略図である。
【図７】実施形態に係る眼科情報処理システムの構成の一例を表す概略図である。
【図８】実施形態に係る眼科情報処理システムの構成の一例を表す概略図である。
【図９】実施形態に係る眼科情報処理システムの動作の一例を表す概略図である。
【図１０】実施形態に係る眼科情報処理システムの構成の一例を表す概略図である。
【図１１】実施形態に係る眼科情報処理システムの動作の一例を表すフローチャートである。
【図１２】実施形態に係る眼科情報処理システムの構成の一例を表す概略図である。
【図１３】実施形態に係る眼科情報処理システムの構成の一例を表す概略図である。
【図１４】実施形態に係る眼科情報処理システムの構成の一例を表す概略図である。
【図１５】実施形態に係る眼科情報処理システムの構成の一例を表す概略図である。
【図１６】実施形態に係る眼科情報処理システムの動作の一例を表すシーケンス図である。
【発明を実施するための形態】
【００１２】
この発明の例示的な実施形態について、図面を参照しながら詳細に説明する。なお、この明細書で引用する文献の記載内容を実施形態に援用することができる。
【００１３】
実施形態に係る眼科情報処理システムは、たとえば、単一のコンピュータ、互いに通信可能な複数のコンピュータ、医療機関内に構築された情報システム、医療機関外に構築された情報システム、または、これらのうちの２以上の組み合わせにより実現される。また、実施形態に係る眼科情報処理方法は、たとえば、これらのうちいずれかの形態を有する眼科情報処理システムにより実現される。
【００１４】
以下、いくつかの典型的な実施形態を説明するが、これらのうち任意の２つ以上を組み合わせた構成を実施することが可能である。また、以下の説明において、検査において取得されるデータと、そのデータの表示内容とを同一視することがある。たとえば、被検眼を撮影して取得される画像データと、それに基づき表示される画像とを同一視することがある。
【００１５】
〈第１の実施形態〉
［構成］
実施形態に係る眼科情報処理システムの構成について説明する。図１は、眼科情報処理システムの基本構成の一例を表す。眼科情報処理システム１は、眼科診療において取得された情報を処理するために利用される。眼科情報処理システム１は、テンプレート格納部１０と、検査データ格納部２０と、情報受付部３０と、テンプレート取得部４０と、検査データ取得部５０と、レポート作成部６０と、表示制御部７０と、表示部８０（表示手段）とを含む。なお、表示手段は眼科情報処理システムの外部に設置されてもよい。
【００１６】
（テンプレート格納部１０）
テンプレート格納部１０は、診療種別ごとのレポートテンプレートを格納する。診療種別とは、診療行為（医療行為）の種別を表し、特に眼科における診療行為の種別を表す。診療種別は、疾患の種別であってもよい。また、診療種別は、階層的に構成されてもよい。たとえば、単一の疾患種別に対して複数の診療種別を設けることや、単一の診療形態に対して複数の疾患種別を設けることが可能である。診療種別は予め設定される。また、診療種別の追加や削除や編集を行うことも可能である。診療種別の例として、「加齢黄斑変性症（の経過観察）」、「緑内障（の経過観察）」、「手術」および「投薬」などがある。
【００１７】
レポートテンプレートは、検査データやそれに基づく情報を提示するためのレイアウト（表示画面、印刷紙面等）を表す。レポートテンプレートは、たとえば、このようなレイアウトを表す画像データ、または、それぞれの情報の提示位置（ピクセル位置等）を表すデータである。テンプレート格納部１０には、それぞれの診療種別に関連付けられたレポートテンプレートが予め格納される。たとえば、診療種別「加齢黄斑変性症」に関連付けられたレポートテンプレートと、「緑内障（の経過観察）」に関連付けられたレポートテンプレートと、「手術」に関連付けられたレポートテンプレートと、「投薬」に関連付けられたレポートテンプレートとが少なくとも格納される。
【００１８】
テンプレート格納部１０は、たとえば、コンピュータ端末に設けられた記憶装置内、ローカルエリアネットワーク（ＬＡＮ）上のデータベース内、または、ワイドエリアネットワーク（ＷＡＮ）上のデータベース内に設けられる。
【００１９】
（検査データ格納部２０）
検査データ格納部２０は、過去に取得された検査データを患者ごとに格納する。検査データ格納部２０には、たとえば、患者ごとの記憶領域（ファイル）が設けられている。各ファイルは、予め設定された患者識別子によって識別される。また、各検査データには、その種別（検査種別）を表す識別子が付されている。典型的な例として、視力検査により取得された視力値には識別子「視力値」が付され、ＯＣＴにより取得された画像データには識別子「ＯＣＴ画像」が付され、この画像データを所定の解析処理を施して得られたデータには「ＯＣＴ＿（解析種別）」が付される。
【００２０】
また、各検査データには、検査条件が付されていてもよい。検査条件の例として、検査日（および検査時刻）、検査場所（医療機関コード等）、検査装置の種別、検査者の識別子、検査において適用された条件などがある。
【００２１】
各患者のファイルは、階層構造を有していてよい。たとえば、各患者のファイルは、左眼の検査データが格納されるサブフォルダと、右眼の検査データが格納されるサブフォルダとを含んでいてよい。或いは、各患者のファイルは、検査日ごとのサブフォルダ、または検査種別ごとのサブフォルダを含んでいてよい。
【００２２】
検査データは、眼科において実施された診療行為により取得されたデータを含む。検査データは、眼科検査により取得されたデータである。検査データの典型的な例として、被検眼を撮影して取得された画像データや、被検眼の特性を物理的手段により測定して取得された測定データや、画像データや測定データを解析して取得された解析データなどがある。
【００２３】
画像データとしては、たとえば、ＯＣＴにより取得されたＯＣＴデータ（断面像データ、３次元画像データ等）や、眼底カメラや走査型レーザ検眼鏡（ＳＬＯ）により取得された眼底像データや、顕微鏡（スリットランプ、眼科手術用顕微鏡、スペキュラーマイクロスコープ等）により撮影された画像データなどがある。
【００２４】
測定データとしては、たとえば、視力値や、眼圧値や、視野検査で取得されたデータなどがある。
【００２５】
解析データとしては、たとえば、ＯＣＴデータを解析して得られた網膜厚データや、眼底像データを解析して得られたドルーゼン分布データや、ＯＣＴデータまたは眼底像データを解析して得られた乳頭パラメータ（視神経乳頭のカップサイズ、ディスクサイズ、リムサイズ、それらの比など）や、ＯＣＴデータまたは眼底像データを解析して得られた血管サイズ（血管径、動静脈径比など）などがある。
【００２６】
なお、眼科以外の診療科や部門において取得された検査データが含まれていてもよい。たとえば、放射線科において取得された画像データ（Ｘ線画像データ、ＣＴ画像データ、ＭＲＩ画像データ等）や、検体検査により取得された検査結果データなどがある。
【００２７】
検査データ格納部２０は、たとえば、コンピュータ端末に設けられた記憶装置内、ＬＡＮ上のデータベース内、または、ＷＡＮ上のデータベース内に設けられる。
【００２８】
（情報受付部３０）
情報受付部３０は、次の情報を受け付ける：（１）患者に対して新たに実施された診療行為の種別（新規診療種別）；（２）この診療行為により取得された１以上の検査データ（新規検査データ）；（３）この患者に付与された患者識別子。
【００２９】
情報受付部３０は、各種の構成を有していてよい。情報受付部３０の第１の例は、コンピュータ端末である。このコンピュータ端末は、たとえば、医師が使用するコンピュータ端末や、検査部で使用されるコンピュータ端末である。コンピュータ端末には、患者識別子と新規診療種別とが手入力または自動入力される。さらに、コンピュータ端末には、検査装置から直接に新規検査データが入力される。或いは、検査装置により取得された新規検査データは、他の装置や記録媒体を介してコンピュータ端末に入力される。他の装置としては、たとえば、電子カルテシステムや医療用画像管理システム（ＰＡＣＳ）などがある。
【００３０】
情報受付部３０の第２の例として、検査装置や電子カルテシステムやＰＡＣＳなどがある。情報受付部３０の第３の例として、上記のコンピュータ端末や検査装置や電子カルテシステムやＰＡＣＳなどのクライアントから送信された情報を受信するサーバーの構成要素がある。このサーバーは、ＬＡＮ上のサーバーでもよいし、ＷＡＮ上のサーバー（クラウドサーバー等）でもよい。以上のように、眼科情報処理システム１は、検査装置や電子カルテシステムやＰＡＣＳまたはその一部を含んでもよいし、含まなくてもよい。
【００３１】
（テンプレート取得部４０）
テンプレート取得部４０は、情報受付部３０により受け付けられた新規診療種別に対応するレポートテンプレートをテンプレート格納部１０から取得する。上記のように、テンプレート格納部１０には、診療種別ごとのレポートテンプレートが格納されている。すなわち、各診療種別に対してレポートテンプレートが関連付けられている。テンプレート取得部４０は、情報受付部３０から入力された新規診療種別に関連付けられたレポートテンプレートをテンプレート格納部１０から選択的に読み出す。
【００３２】
テンプレート取得部４０は、たとえば、コンピュータ端末内、ＬＡＮ上のサーバー内、または、ＷＡＮ上のサーバー内に設けられる。
【００３３】
（検査データ取得部５０）
検査データ取得部５０は、情報受付部３０により受け付けられた患者識別子に基づいて、検査データ格納部２０から過去の検査データを取得する。このとき、新規検査データを参照してもよい。また、異なる種別の疾患の診療が並行して行われている患者が対象である場合などには、新規診療種別を参照してもよい。
【００３４】
上記のように、検査データ格納部２０には、患者識別子に関連付けられたファイルが設けられており、患者ごとのファイルにはその患者について過去に取得された検査データが格納されている。検査データ取得部５０は、まず、情報受付部３０から入力された患者識別子に関連付けられたファイルを特定する。さらに、検査データ取得部５０は、特定されたファイルに格納されている検査データのうち、情報受付部３０から入力された新規検査データに関連する検査データを読み出す。この処理は、たとえば、新規検査データの種別（検査種別）を特定する処理と、特定された検査種別と同種の検査データを検索する処理と、それにより検索された検査データを読み出す処理とを含む。
【００３５】
ここで、検査種別は検査データに付帯されているものとする。具体的には、各検査データには、検査種別や検査条件を記録するための領域が設けられている。この領域に記録されている情報は、たとえば、検索や表示や管理に利用される。このような領域の具体例として、ＤＩＣＯＭ（Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ）のタグ情報がある。
【００３６】
検査データ取得部５０は、たとえば、コンピュータ端末内、ＬＡＮ上のサーバー内、または、ＷＡＮ上のサーバー内に設けられる。
【００３７】
（レポート作成部６０）
レポート作成部６０は、テンプレート取得部４０により取得されたレポートテンプレートと、検査データ取得部５０により取得された検査データと、情報受付部３０により受け付けられた新規検査データとに基づいて、この患者の検査レポートを作成する。レポートテンプレートには、情報の種別ごとに領域が設定されている。
【００３８】
レポート作成部６０は、過去の検査データと新規検査データとを、その検査種別に対応する領域に埋め込む。ここで、単一の検査種別の検査データが複数存在する場合には、これら検査データを所定の順序で領域に埋め込む。たとえば、被検眼の実質的に同じ部位を異なる検査日に撮影することで得られた時系列画像を、時系列順に領域に埋め込むことができる。
【００３９】
また、単一の検査種別の検査データの個数に応じて、レポートテンプレート内の領域のサイズや位置を変更することや、埋め込まれる検査データの個数を限定することや、検査データの埋め込み態様を変更することが可能である。埋め込み態様の変更の例として、画像データをそのまま埋め込む場合と、画像データのサムネイルを作成してそれを埋め込む場合とを切り替えて実行するよう構成することが可能である。
【００４０】
また、レポートテンプレートには、患者に関する情報（患者識別子、患者氏名、年齢、性別、医療機関名、医師名など）に対応する領域が設けられている。レポート作成部６０は、検査データの付帯情報や、情報受付部３０により受け付けられた情報から、レポートテンプレートに埋め込まれる情報を取得し、それらをレポートテンプレートの対応領域に埋め込む。
【００４１】
なお、レポート作成部６０は、検査レポートを完成させる必要はない。たとえば、レポート作成部６０は、各種の情報をレポートテンプレートに埋め込む処理を実行しなくてもよい。その代わりに、レポート作成部６０は、検査データや患者に関する情報のそれぞれと、レポートテンプレートの領域との対応付けを行うことができる。後段の処理において、この対応付けを参照することにより、検査レポートを表示したり印刷したりすることが可能である。
【００４２】
レポート作成部６０は、たとえば、コンピュータ端末内、ＬＡＮ上のサーバー内、または、ＷＡＮ上のサーバー内に設けられる。
【００４３】
（表示制御部７０、表示部８０）
表示部８０は、眼科情報処理システム１の内部または外部に設けられた表示デバイスを含む。表示制御部７０は、表示部８０に情報を表示させる。特に、表示制御部７０は、レポート作成部６０により作成された検査レポートを表示部８０に表示させる。
【００４４】
表示制御部７０は、たとえば、コンピュータ端末内、ＬＡＮ上のサーバー内、または、ＷＡＮ上のサーバー内に設けられる。
【００４５】
［使用形態］
眼科情報処理システム１の使用形態について説明する。図２は、眼科情報処理システム１の使用形態の一例を表す。
【００４６】
前提として、いくつかの診療種別に対応するレポートテンプレートがテンプレート格納部１０に格納されており、且つ、患者の過去の検査データが検査データ格納部２０に格納されているものとする。
【００４７】
テンプレート格納部１０（またはテンプレート取得部４０）に格納されているデータの構成の例を図３に示す。図３に示すレポートテンプレートリスト１０ａには、「診療種別」欄と、「テンプレート」欄とが設けられている。「診療種別」欄には、「ＡＭＤ（加齢黄斑変性症）」と「緑内障」と「手術」と「投薬」とが設けられている。診療種別「ＡＭＤ」にはレポートテンプレートＴ１が対応付けられ、診療種別「緑内障」にはレポートテンプレートＴ２が対応付けられ、診療種別「手術」にはレポートテンプレートＴ３が対応付けられ、診療種別「投薬」にはレポートテンプレートＴ４が対応付けられている。レポートテンプレートＴ１〜Ｔ４は、テンプレート格納部１０に格納されている。
【００４８】
ＡＭＤに対応するレポートテンプレートＴ１は、加齢黄斑変性症の経過観察において参照される表示画面のレイアウトを表す画像データである。緑内障に対応するレポートテンプレートＴ２は、緑内障の経過観察において参照される表示画面のレイアウトを表す画像データである。手術に対応するレポートテンプレートＴ３は、手術前の検査データと手術後の検査データとを比較するための表示画面のレイアウトを表す画像データである。投薬に対応するレポートテンプレートＴ４は、投薬前の検査データと投薬後の検査データとを比較するための表示画面のレイアウトを表す画像データである。
【００４９】
レポートテンプレートの具体例として、緑内障に対応するレポートテンプレートＴ２の構成の例を図４に示す。このレポートテンプレートＴ２には、緑内障の経過観察（Ｇｌａｕｃｏｍａ  Ｆｏｌｌｏｗ−Ｕｐ）において参照される各種情報が提示される複数の領域が設けられている。患者情報提示領域１００１には、患者識別子（Ｐａｔｉｅｎｔ  ＩＤ）と、患者氏名（Ｐａｔｉｅｎｔ  Ｎａｍｅ）と、年齢（Ａｇｅ）と、性別（Ｓｅｘ）とが提示される。診療者情報提示領域１００２には、医療機関名（Ｈｏｓｐｉｔａｌ）と、医師名（Ｄｒ）とが提示される。
【００５０】
さらに、レポートテンプレートＴ２には、検査データの提示領域として、眼圧提示領域１００３と、網膜厚提示領域１００４と、眼底像提示領域１００５と、視野検査結果提示領域１００６とが設けられている。眼圧提示領域１００３（ＩＯＰ）には、眼圧計を用いて測定された眼圧の値が提示される。眼圧提示領域１００３には、たとえば、眼圧値の時系列変化を表すグラフが提示される。網膜厚提示領域１００４（Ｒｅｔｉｎａｌ  Ｔｈｉｃｋｎｅｓｓ）には、ＯＣＴや網膜厚測定装置を用いて測定された網膜の厚さが提示される。網膜厚提示領域１００４には、たとえば、網膜厚に関する所定の代表値の時系列変化を表すグラフが提示される。この代表値は、たとえば、平均値等の統計値や、眼底の所定部位における値である。眼底像提示領域１００５（Ｒｅｔｉｎａｌ  Ｉｍａｇｅｓ）には、眼底カメラやＳＬＯを用いて眼底を撮影して得られた眼底像が提示される。眼底像提示領域１００５には、たとえば、異なる検査日に取得された複数の眼底像が時系列順に提示される。視野検査結果提示領域１００６（Ｖｉｓｕａｌ  Ｆｉｅｌｄ  Ｔｅｓｔｓ）には、視野計を用いて取得された視野の分布が提示される。視野検査結果提示領域１００６には、たとえば、異なる検査日に取得された複数の視野分布が時系列順に提示される。また、視野の評価値の時系列変化を表すグラフを提示するように構成されてもよい。
【００５１】
なお、これら以外の情報が提示される領域が設けられていてもよい。そのような提示領域の典型的な例として、検査対象が左眼であるか右眼であるかを表す情報が提示される領域や、他の種別の検査データが提示される領域や、電子カルテから取得された情報が提示される領域や、医師がコメントを記入するための領域などがある。
【００５２】
検査データ格納部２０に格納されているデータの構成の例を図５に示す。図５は、緑内障の経過観察が実施されている患者のファイルＦの構成を表す。患者ファイルＦには、患者識別子（Ｐａｔｉｅｎｔ  ＩＤ）が記録される領域Ｄ１と、診療種別（Ｔｙｐｅ）が記録される領域Ｄ２と、検査データ（Ｅｘａｍｉｎａｔｉｏｎ  Ｄａｔａ）が記録される領域Ｄ３とが設けられている。
【００５３】
図５に示す患者ファイルＦの記録領域Ｄ１には患者識別子「０１２３４５６７８９０」が記録されており、記録領域Ｄ２には診療種別「Ｇｌａｕｃｏｍａ（緑内障）」が記録されている。さらに、記録領域Ｄ３には、当該患者に対して過去に実施された検査において取得された検査データが、検査日ごとに記録されている。なお、「ＩＯＰ＿ｎ」は第ｎ回目の検査で取得された眼圧値を表し、「ＲＴ＿ｎ」は第ｎ回目の検査で取得された網膜厚の値を表し、「ＲＩ＿ｎ」は第ｎ回目の検査で取得された（１以上の）眼底像を表し、「ＶＦＴ＿ｎ」は第ｎ回目の検査で取得された視野分布（および／または、視野の評価値）を表す。
【００５４】
以上のような情報が準備されている状態において実行される処理の例について、図２を参照しつつ説明する。
【００５５】
（Ｓ１：検査の実施）
一の患者に関する緑内障の経過観察のための検査が実施される。今回の検査では、眼圧計による眼圧測定と、ＯＣＴによる網膜厚測定と、眼底カメラによる眼底撮影が実施されたとする。これらにより取得された検査データ（新規検査データ：眼圧値、網膜厚および眼底像）は、別途に入力された患者識別子（および新規診療種別）とともに管理される。
【００５６】
（Ｓ２：患者識別子、新規検査種別、新規検査データの入力）
検査の終了後または医師による診察時に、ステップＳ１で患者識別子、新規検査種別および新規検査データが、患者識別子および新規検査種別とともに、情報受付部３０からテンプレート取得部４０と検査データ取得部５０とレポート作成部６０とに送られる。ここで、情報受付部３０からレポート作成部６０に直接にデータを送信する代わりに、テンプレート取得部４０や検査データ取得部５０を経由してレポート作成部６０にデータを送信するように構成してもよい。
【００５７】
なお、検査の終了後に情報入力が行われる場合、たとえば、眼科検査装置（眼圧計、光干渉断層計、視野計）から直接にまたは間接的に情報が入力される。
【００５８】
医師による診察時に情報入力が行われる場合、たとえば、医師は、コンピュータ端末に患者識別子を入力する。新規検査種別は、たとえば、医師により入力されるか、或いは、別途に読み出された電子カルテから入力される。医師が、診察開始のトリガー操作を実行すると、たとえば医療機関内のデータベースにより管理されている新規検査データが読み出される。情報受付部３０は、これら情報を関連付けてテンプレート取得部４０および検査データ取得部５０（並びにレポート作成部６０）に送る。
【００５９】
（Ｓ３：レポートテンプレートの取得）
テンプレート取得部４０は、ステップＳ２において入力された新規診療種別に対応するレポートテンプレートをテンプレート格納部１０から取得する。この処理において、テンプレート取得部４０は、入力された新規診療種別に対応するレポートテンプレートを、図３に示すレポートテンプレートリスト１０ａを参照することにより特定し、特定されたレポートテンプレートをテンプレート格納部１０から読み出す。本例では、緑内障の経過観察のためのレポートテンプレートＴ２が選択される（図４参照）。取得されたレポートテンプレートＴ２は、たとえば、患者識別子とともにレポート作成部６０に送られる。なお、レポートテンプレートリスト１０ａは、テンプレート格納部１０またはテンプレート取得部４０に予め格納されている。
【００６０】
（Ｓ４：過去検査データの取得）
検査データ取得部５０は、ステップＳ２において入力された患者識別子に基づいて、検査データ格納部２０から過去の検査データを取得する。この処理において、検査データ取得部５０は、入力された患者識別子が記録されているファイルを検索し、検索されたファイルに格納されている検査データの一部または全部を読み出す。本例では、図５に示すファイルＦの記録領域Ｄ３に記録されている検査データの全部が読み出されるものとする。取得された過去の検査データは、たとえば、患者識別子とともにレポート作成部６０に送られる。
【００６１】
（Ｓ５：検査レポートの作成）
レポート作成部６０は、ステップＳ３で取得されたレポートテンプレートＴ２と、ステップＳ４で取得された過去の検査データと、ステップＳ２で入力された新規検査データとに基づいて、当該患者の検査レポートを作成する。
【００６２】
この処理において、レポート作成部６０は、たとえば、レポートテンプレートＴ２の複数の提示領域のそれぞれに、対応する情報を埋め込む（或いは、対応する情報を関連付ける）。具体的には、レポート作成部６０は、ステップＳ２で取得された患者識別子を、レポートテンプレートＴ２の患者情報提示領域１００１に埋め込む。なお、患者氏名、年齢および性別については、ステップＳ２で入力された情報をそれぞれ埋め込むように構成してもよいし、医療機関内のサーバーや医師のコンピュータ端末等において追加するように構成してもよい。
【００６３】
診療者情報提示領域１００２には、医療機関名と、医師名とが提示される。これら情報は、たとえば、ステップＳ２で入力された情報を利用して埋め込まれるか、或いは、ステップＳ２で情報を送信するときの送信元のアドレス情報を利用して埋め込まれる。このような構成が適用される場合、たとえば、医療機関の識別子（コード、アドレス情報等）と医療機関の名称とが対応付けられた情報と、医師の識別子と医師の氏名とが対応付けられた情報とが、レポート作成部６０に予め格納される。レポート作成部６０は、これら対応情報を参照することで、医療機関名や医師名の欄に情報を埋め込むことができる。
【００６４】
さらに、眼圧提示領域１００３には、過去検査データ中の（１以上の）眼圧値と新規検査データ中の眼圧値とが時系列順に埋め込まれる。この処理において、レポート作成部６０は、たとえば、これら眼圧値の時系列変化を表すグラフを作成し、作成されたグラフを眼圧提示領域１００３に埋め込む。
【００６５】
網膜厚提示領域１００４には、過去検査データ中の（１以上の）網膜厚と新規検査データ中の網膜厚とが時系列順に埋め込まれる。この処理において、レポート作成部６０は、たとえば、これら網膜厚の時系列変化を表すグラフを作成し、作成されたグラフを網膜厚提示領域１００４に埋め込む。
【００６６】
眼底像提示領域１００５には、過去検査データ中の（１以上の）眼底像と新規検査データ中の眼底像とが時系列順に埋め込まれる。このとき、これら眼底像のサムネイルを作成し、これらサムネイルを時系列順に埋め込み、さらに、元の眼底像を検査レポートに付帯させるように構成することが可能である。
【００６７】
視野検査結果提示領域１００６には、過去検査データ中の（１以上の）視野分布（および／または、視野の評価値）と新規検査データ中の視野分布（および／または、視野の評価値）とが時系列順に埋め込まれる。視野の評価値が埋め込まれる場合、レポート作成部６０は、たとえば、これら評価値の時系列変化を表すグラフを作成し、作成されたグラフを視野検査結果提示領域１００６に埋め込む。また、視野分布を表す画像のサムネイルを作成し、作成されたサムネイルを視野検査結果提示領域１００６に埋め込み、さらに、元の視野分布画像を検査レポートに付帯させるように構成することが可能である。
【００６８】
レポート作成部６０は、このようにして作成された検査レポート（およびその付帯情報）を表示制御部７０に送る。
【００６９】
（Ｓ６：検査レポートの表示）
表示制御部７０は、ステップＳ５で作成された検査レポートを表示部８０に表示させる。図６に示す検査レポートＲは、このようにして表示される検査レポートの例である。医師は、表示された検査レポートを参照して今回の診察を行う。なお、検査レポートにサムネイルが提示されている場合、このサムネイルが指定されると（たとえばクリックされると）、表示制御部７０は、指定されたサムネイルの元の画像（眼底像、視野分布画像等）を付帯情報から読み出して表示部８０に表示させる。
【００７０】
［効果］
本実施形態に係る眼科情報処理システム１の効果を説明する。
【００７１】
眼科情報処理システム１は、眼科診療において取得された情報を処理するものであり、特に、経過観察や術前術後観察や投薬前後観察のように、異なるタイミングで取得された複数の検査データを比較するためのレポートを提供する。眼科情報処理システム１は、テンプレート格納部１０と、検査データ格納部２０と、情報受付部３０と、テンプレート取得部４０と、検査データ取得部５０と、レポート作成部６０と、表示制御部７０とを含む。
【００７２】
テンプレート格納部１０は、診療種別ごとのレポートテンプレートを格納する。テンプレート格納部１０は、第１格納部の一例である。検査データ格納部２０は、過去に取得された検査データを患者ごとに格納する。検査データ格納部２０は、第２格納部の一例である。
【００７３】
情報受付部３０は、患者に対して新たに実施された診療行為の種別を表す新規診療種別と、当該診療行為により取得された新規検査データと、当該患者に付与された患者識別子とを受け付ける。情報受付部３０は、第１受付部の一例である。
【００７４】
テンプレート取得部４０は、情報受付部３０により受け付けられた新規診療種別に対応するレポートテンプレートをテンプレート格納部１０から取得する。テンプレート格納部１０は、テンプレート取得部の一例である。
【００７５】
検査データ取得部５０は、情報受付部３０により受け付けられた患者識別子に基づいて、検査データ格納部２０から過去の検査データを取得する。検査データ取得部５０は、検査データ取得部の一例である。
【００７６】
レポート作成部６０は、テンプレート取得部４０により取得されたレポートテンプレートと、検査データ取得部５０により取得された検査データと、情報受付部３０により受け付けられた新規検査データとに基づいて、当該患者の検査レポートを作成する。レポート作成部６０は、レポート作成部の一例である。
【００７７】
表示制御部７０は、レポート作成部６０により作成された検査レポートを表示部８０（表示手段）に表示させる。表示制御部７０は、表示制御部の一例である。
【００７８】
このように構成された眼科情報処理システム１によれば、検査データを比較するための検査レポートを自動で作成して提供することができる。よって、医師は、そのために必要な検査データを読み出すための選択作業を行う必要がない。
【００７９】
また、必要な検査データのみが含まれる検査レポートを提供できるので、送信されるデータの量を抑制することができ、それにより、ネットワークのトラフィックの制限を受けるおそれが低減し、また、トラフィックに無駄な負荷を掛けることがなくなる。
【００８０】
したがって、眼科情報処理システム１によれば、診療の効率化や省力化を図りつつ、必要な検査データを医師に提供することが可能となる。
【００８１】
本実施形態では、検査データが画像データと数値データ（測定値、評価値等）とを含む場合について説明したが、いずれか一方のみを含んでいる場合についても同様の処理を実行することが可能である。
【００８２】
なお、新規検査データが被検眼の画像（画像データ）を含む場合、レポート作成部６０は、検査データ取得部５０により取得された過去検査データに含まれる１以上の画像と、新規検査データに含まれる画像とが時系列に配列された検査レポートを作成する。図６に例示された検査レポートＲには、複数回の経過観察により取得された複数の眼底像と複数の視野分布画像とがそれぞれ時系列順に配列されている。本例では、眼底撮影は毎回実施され、視野検査は一回おきに実施されている。検査レポートＲにおいては、複数の眼底像および複数の視野分布画像がそれぞれ横方向に並べられ、且つ、同じ回に取得された眼底像と視野分布画像とが縦方向に並べられている。一般に、同種の画像をそれぞれ時系列順に第１方向に沿って配列することができ、さらに、同日に取得された異種の画像を第２方向に沿って配列することができる。ここで、第１方向と第２方向とは異なる方向であり、たとえば互いに直交する方向である。
【００８３】
このような構成によれば、同種の画像の変化を容易に把握することができ、且つ、同じ回に取得された異なる種別の画像を容易に比較することができる。それにより、診療の効率化や省力化を図ることができる。
【００８４】
［変形例］
上記の実施形態では患者の一方の眼に関する検査レポートを提供する場合について説明した。本変形例では、患者の両眼に関する検査レポートを提供する場合について説明する。
【００８５】
本変形例に係る眼科情報処理システムは、第１の実施形態と同様の構成を有する（図１を参照）。眼科情報処理システムは、たとえば、図７に示すレポートテンプレートＴ５と、図８に示す患者のファイルＦ１とを格納している。
【００８６】
図７に示すレポートテンプレートＴ５には、緑内障の経過観察（Ｇｌａｕｃｏｍａ  Ｆｏｌｌｏｗ−Ｕｐ）において参照される各種情報が提示される複数の領域が設けられている。具体的には、第１の実施形態（図４）と同様の患者情報提示領域１１０１、診療者情報提示領域１１０２、眼圧提示領域１１０３および網膜厚提示領域１１０４に加えて、右眼の眼底像が提示される眼底像提示領域１１０５Ｒと、左眼の眼底像が提示される眼底像提示領域１１０５Ｌと、右眼の視野分布画像が提示される視野検査結果提示領域１１０６Ｒと、左眼の視野分布画像が提示される視野検査結果提示領域１１０６Ｌとが設けられている。なお、第１の実施形態と同様に、これら以外の情報が提示される領域が設けられていてもよい。
【００８７】
図８に示すファイルＦ１には、第１の実施形態（図５）と同様の患者識別子が記録される領域Ｄ１１と診療種別が記録される領域Ｄ１２とに加えて、両眼の検査データが記録される領域Ｄ１３とが設けられている。
【００８８】
記録領域Ｄ１３には、当該患者の左眼および右眼に対して過去に実施された検査において取得された検査データが、検査日ごとに記録されている。なお、「ＩＯＰ＿ｎ＿Ｌ」は第ｎ回目の検査で取得された左眼の眼圧値を表し、「ＩＯＰ＿ｎ＿Ｒ」は第ｎ回目の検査で取得された右眼の眼圧値を表し、「ＲＴ＿ｎ＿Ｌ」は第ｎ回目の検査で取得された左眼の網膜厚の値を表し、「ＲＴ＿ｎ＿Ｒ」は第ｎ回目の検査で取得された右眼の網膜厚の値を表し、「ＲＩ＿ｎ＿Ｌ」は第ｎ回目の検査で取得された左眼の（１以上の）眼底像を表し、「ＲＩ＿ｎ＿Ｒ」は第ｎ回目の検査で取得された右眼の（１以上の）眼底像を表し、「ＶＦＴ＿ｎ＿Ｌ」は第ｎ回目の検査で取得された左眼の視野分布（および／または、視野の評価値）を表し、「ＶＦＴ＿ｎ＿Ｒ」は第ｎ回目の検査で取得された右眼の視野分布（および／または、視野の評価値）を表す。
【００８９】
本変形例に係る眼科情報処理システムは、第１の実施形態と同様の処理を実行するが、検査レポートを作成する処理が第１の実施形態と異なる。図２のフローチャートのステップＳ５において、レポート作成部６０はたとえば次の処理を実行する。
【００９０】
レポート作成部６０は、図７に示すレポートテンプレートＴ５と、図８に示すファイルＦ１に格納されている過去の検査データと、当該患者の両眼に関する新規検査データとに基づいて、当該患者の検査レポートを作成する。
【００９１】
この処理において、レポート作成部６０は、レポートテンプレートＴ５の複数の提示領域のそれぞれに、対応する情報を埋め込む（或いは、対応する情報を関連付ける）。具体的には、レポート作成部６０は、第１の実施形態と同様に、レポートテンプレートＴ５の患者情報提示領域１１０１に患者識別子と患者氏名と年齢と性別を埋め込み、診療者情報提示領域１１０２に医療機関名と医師名とを埋め込む。
【００９２】
また、レポート作成部６０は、過去検査データ中の左眼の眼圧値と新規検査データ中の左眼の眼圧値とに基づいて、左眼の眼圧値の時系列変化を表すグラフを作成する。同様に、レポート作成部６０は、過去検査データ中の右眼の眼圧値と新規検査データ中の右眼の眼圧値とに基づいて、右眼の眼圧値の時系列変化を表すグラフを作成する。そして、レポート作成部６０は、左眼の眼圧値のグラフを実線で、且つ、右眼の眼圧値のグラフを点線で、それぞれ眼圧提示領域１１０３に埋め込む。
【００９３】
また、レポート作成部６０は、過去検査データ中の左眼の網膜厚と新規検査データ中の左眼の網膜厚とに基づいて、左眼の網膜厚の時系列変化を表すグラフを作成する。同様に、レポート作成部６０は、過去検査データ中の右眼の網膜厚と新規検査データ中の右眼の網膜厚とに基づいて、右眼の網膜厚の時系列変化を表すグラフを作成する。そして、レポート作成部６０は、左眼の網膜厚のグラフを実線で、且つ、右眼の網膜厚のグラフを点線で、それぞれ網膜厚提示領域１１０４に埋め込む。
【００９４】
また、レポート作成部６０は、過去検査データ中の右眼の（１以上の）眼底像と新規検査データ中の右眼の眼底像とを時系列順に眼底像提示領域１１０５Ｒに埋め込む。同様に、レポート作成部６０は、過去検査データ中の左眼の（１以上の）眼底像と新規検査データ中の左眼の眼底像とを時系列順に眼底像提示領域１１０５Ｌに埋め込む。このとき、これら眼底像のサムネイルを作成し、これらサムネイルを時系列順に埋め込み、さらに、元の眼底像を検査レポートに付帯させるように構成することが可能である。
【００９５】
また、レポート作成部６０は、過去検査データ中の右眼の（１以上の）視野分布（および／または、視野の評価値）と新規検査データ中の右眼の視野分布（および／または、視野の評価値）とを時系列順に視野検査結果提示領域１１０６Ｒに埋め込む。同様に、レポート作成部６０は、過去検査データ中の左眼の（１以上の）視野分布（および／または、視野の評価値）と新規検査データ中の左眼の視野分布（および／または、視野の評価値）とを時系列順に視野検査結果提示領域１１０６Ｌに埋め込む。視野の評価値が埋め込まれる場合、これら評価値の時系列変化を表すグラフを作成し、作成されたグラフを視野検査結果提示領域１１０６Ｒおよび１１０６Ｌに埋め込むことができる。また、視野分布を表す画像のサムネイルを作成し、作成されたサムネイルを視野検査結果提示領域１１０６に埋め込み、さらに、元の視野分布画像を検査レポートに付帯させるように構成することが可能である。
【００９６】
図９に示す検査レポートＲ１は、このようにして表示される検査レポートの例である。このように、新規検査データが患者の左眼の検査データと右眼の検査データとを含む場合、本変形例のレポート作成部により作成される検査レポートには、新規検査データに含まれる左眼のデータ（および／またはそれに基づくデータ）と、検査データ取得部により取得された過去の検査データに含まれる左眼の検査データ（および／またはそれに基づくデータ）とが時系列に配列されており、且つ、新規検査データに含まれる右眼のデータ（および／またはそれに基づくデータ）と、検査データ取得部により取得された過去の検査データに含まれる右眼の検査データ（および／またはそれに基づくデータ）とが時系列に配列されている。ここで、左眼（または右眼）のデータに基づくデータとは、たとえば眼圧値のグラフや網膜厚のグラフのように、検査データを処理したり解析したりすることにより生成されるデータを表す。
【００９７】
〈第２の実施形態〉
第１の実施形態では、既定のレポートテンプレートを用いて検査レポートを作成する場合について説明したが、ユーザによっては所望の形式の検査レポートを利用したい場合がある。本実施形態では、このような要望を満足するための眼科情報処理システムについて説明する。
【００９８】
［構成］
図１０は、本実施形態に係る眼科情報処理システムの構成の一例を表す。なお、第１の実施形態と同様の構成要素には同一の符号が付されている。眼科情報処理システム１００は、第１の実施形態（図１）と同様に、テンプレート格納部１０と、検査データ格納部２０と、情報受付部３０と、テンプレート取得部４０と、検査データ取得部５０と、レポート作成部６０と、表示制御部７０と、表示部８０（表示手段）とを含む。なお、表示手段は眼科情報処理システムの外部に設置されてもよい。
【００９９】
（カスタマイズ情報格納部６１）
眼科情報処理システム１００にはカスタマイズ情報格納部６１が設けられている。図１０に示す例ではレポート作成部６０にカスタマイズ情報格納部６１が配置されているが、他の部分に配置されていてもよい。
【０１００】
カスタマイズ情報格納部６１には、テンプレート格納部１０に格納されているレポートテンプレートに関するユーザごとのカスタマイズ情報が格納されている。カスタマイズ情報は、テンプレート格納部１０に格納されている複数のレポートテンプレートの少なくとも一部について設けられている。また、カスタマイズ情報は、眼科情報処理システム１００のユーザの少なくとも一部について設けられている。
【０１０１】
カスタマイズ情報は、ユーザが既定のレポートテンプレートに変更を加えることにより作成される。この変更には、たとえば、レイアウトの変更や、提示内容の変更や、提示領域のサイズの変更など、任意の態様の変更が含まれる。カスタマイズ情報の作成は、たとえば、カスタマイズ情報作成用画面とグラフィカル・ユーザ・インターフェイス（ＧＵＩ）とを医師が使用するコンピュータ端末に表示する処理と、この画面とＧＵＩを用いて既定のレポートテンプレートに加えられた変更内容をユーザ識別子とともにレポート作成部６０に送信する処理と、レポート作成部６０が受信したユーザ識別子と変更内容とを当該ユーザのカスタマイズ情報としてカスタマイズ情報格納部６１に格納する処理とを含む。
【０１０２】
なお、既定のレポートテンプレートとカスタマイズ情報とを格納する構成の代わりに、ユーザにより変更が加えられたレポートテンプレート自体を当該ユーザのユーザ識別子に関連付けてテンプレート格納部１０に格納することも可能である。このような構成も本発明の技術的思想に含まれる。
【０１０３】
（ユーザ識別子受付部９１）
さらに、眼科情報処理システム１にはユーザ識別子受付部９１が設けられている。ユーザ識別子受付部９１は、ユーザに付与されたユーザ識別子を受け付ける。ユーザ識別子受付部９１は、各種の構成を有していてよい。ユーザ識別子受付部９１は、たとえば医師が使用するコンピュータ端末である。このコンピュータ端末には、ユーザ識別子が手入力または自動入力される。なお、ユーザ識別子受付部９１は、情報受付部３０を一体であってもよい。
【０１０４】
［使用形態］
眼科情報処理システム１００の使用形態について説明する。図１１は、眼科情報処理システム１００の使用形態の一例を表す。
【０１０５】
眼科情報処理システム１００は、たとえば第１の実施形態と同様に、図３に示すレポートテンプレートリスト１０ａと、レポートテンプレートＴ１〜Ｔ４（レポートテンプレートＴ２の具体例については図４を参照）と、検査データが格納された患者ごとのファイル（具体例については図５に示すファイルＦを参照）とを利用する。
【０１０６】
（Ｓ１１：検査の実施）
第１の実施形態のステップＳ１と同様にして患者の検査が実施される。
【０１０７】
（Ｓ１２：患者識別子、新規検査種別、新規検査データの入力）
第１の実施形態のステップＳ２と同様にして、患者識別子、新規検査種別および新規検査データの入力が行われる。
【０１０８】
（Ｓ１３：ユーザ識別子の入力）
ユーザは、ユーザ識別子受付部９１（コンピュータ端末等）を用いてユーザ識別子を入力する。
【０１０９】
（Ｓ１４：レポートテンプレートの取得）
第１の実施形態のステップＳ３と同様にしてレポートテンプレートが取得される。
【０１１０】
（Ｓ１５：過去検査データの取得）
第１の実施形態のステップＳ４と同様にして当該患者の過去検査データが取得される。
【０１１１】
（Ｓ１６：カスタマイズ情報の取得）
レポート作成部６０は、ステップＳ１３で入力されたユーザ識別子に基づいて、ステップＳ１２で入力された新規診療種別に対応するレポートテンプレートに関するカスタマイズ情報をカスタマイズ情報格納部６１から取得する。この処理は、たとえば次のようにして実行される。
【０１１２】
レポート作成部６０は、ステップＳ１３で入力されたユーザ識別子に関連付けられたカスタマイズ情報を検索する。カスタマイズ情報を登録していない場合には１つも検索されないが、ここではカスタマイズ情報が検索されたとする。その場合、検索されるカスタマイズ情報は１つ以上である（たとえば、当該患者識別子に対して、４つのレポートテンプレートＴ１〜Ｔ４のそれぞれに関するカスタマイズ情報が検索される）。各カスタマイズ情報には、診療種別が関連付けられている。
【０１１３】
次に、レポート作成部６０は、検索されたカスタマイズ情報のうちから新規診療種別に関連付けられたカスタマイズ情報を選択する。それにより、目的のカスタマイズ情報が取得される。
【０１１４】
（Ｓ１７：レポートテンプレートの改変）
レポート作成部６０は、ステップＳ１６で取得されたカスタマイズ情報に基づいて、ステップＳ１４で取得されたレポートテンプレートのレイアウトや提示領域のサイズを変更する。また、レポート作成部６０は、このカスタマイズ情報が示す提示内容の追加や削除に応じて、提示領域の追加や削除を行う。それにより、カスタマイズ情報に応じたレポートテンプレートの改変がなされる。
【０１１５】
（Ｓ１８：検査レポートの作成）
レポート作成部６０は、ステップＳ１７で改変されたレポートテンプレートと、ステップＳ１５で取得された過去の検査データと、ステップＳ１２で入力された新規検査データとに基づいて、当該患者の検査レポートを作成する。この処理は、第１の実施形態のステップＳ５と同様にして実行される。
【０１１６】
（Ｓ１９：検査レポートの表示）
表示制御部７０は、ステップＳ１８で作成された検査レポートを表示部８０に表示させる。
【０１１７】
［効果］
本実施形態に係る眼科情報処理システム１００の効果を説明する。
【０１１８】
眼科情報処理システム１００は、第１の実施形態と同様に、テンプレート格納部１０（第１格納部）と、検査データ格納部２０（第２格納部）と、情報受付部３０（第１受付部）と、テンプレート取得部４０（テンプレート取得部）と、検査データ取得部５０（検査データ取得部）と、レポート作成部６０（レポート作成部）と、表示制御部７０（表示制御部）とを含む。
【０１１９】
さらに、眼科情報処理システム１００は、第２受付部と、第３格納部と、カスタマイズ情報取得部とを含む。
【０１２０】
第２受付部として機能するユーザ識別子受付部９１は、ユーザに付与されたユーザ識別子を受け付ける。
【０１２１】
第３格納部として機能するカスタマイズ情報格納部６１は、複数のレポートテンプレートの少なくとも一部のそれぞれに関する、少なくとも一部のユーザごとのカスタマイズ情報を格納する。
【０１２２】
カスタマイズ情報取得部として機能するレポート作成部６０は、第２受付部により受け付けられたユーザ識別子に基づいて、新規診療種別に対応するレポートテンプレートに関するカスタマイズ情報を第３格納部から取得する。なお、この実施形態ではレポート作成部６０内に第３格納部が設けられ、且つ、レポート作成部６０がカスタマイズ情報取得部として機能するが、第３格納部の配置とカスタマイズ情報取得部の配置は任意であってよい。
【０１２３】
レポート作成部６０は、テンプレート取得部により取得されたレポートテンプレートと、カスタマイズ情報取得部により取得されたカスタマイズ情報と、検査データ取得部により取得された過去検査データと、第１受付部により受け付けられた新規検査データとに基づいて、当該患者の検査レポートを作成する。
【０１２４】
このような構成を有する眼科情報処理システム１００によれば、第１の実施形態と同様に、診療の効率化や省力化を図りつつ、必要な検査データを医師に提供することができる。さらに、本実施形態によれば、ユーザが任意にカスタマイズした形式の検査レポートを提供することができるので、診療の更なる効率化や省力化を図ることが可能である。
【０１２５】
〈第３の実施形態〉
本実施形態では、検査データを解析する機能が設けられた眼科情報処理システムについて説明する。なお、第１の実施形態では、光干渉断層計（またはそれに接続されたコンピュータ装置）がＯＣＴデータを解析して網膜厚を求め、これを検査データとして用いている。これに対し、本実施形態では、たとえば、医療機関内のＬＡＮ上に設けられたコンピュータ装置や、ＷＡＮ上に設けられたコンピュータ装置が、検査装置により取得されたデータの解析を実行する。
【０１２６】
図１２は、本実施形態に係る眼科情報処理システムの構成の一例を表す。眼科情報処理システム２００は、第１の実施形態と同様の構成要素を含む。さらに、眼科情報処理システム２００は解析部９２を備える。
【０１２７】
解析部９２は、たとえば、各種の解析アプリケーションが搭載された１以上のコンピュータを含んで構成される。解析アプリケーションは、眼科診療において使用される任意の解析処理を実行するためのソフトウェアである。解析アプリケーションの典型例として、ＯＣＴデータを解析して評価値やデータ分布を生成するアプリケーション、眼底像を解析して評価値やデータ分布を生成するアプリケーション、評価値やデータ分布の時系列変化を解析してトレンドや診療支援情報を生成するアプリケーションなどがある。
【０１２８】
本実施形態において、解析部９２は、レポート作成部６０からの指令を受けて解析処理を実行する。レポート作成部６０は、たとえば、レポートテンプレートに提示される情報の種別に基づいて、その情報を取得するための解析処理の種別を表す情報と、この解析処理に供される検査データとを解析部９２に送る。他の例として、レポート作成部６０は、診療種別と解析処理の種別とが関連付けられたテーブル情報を予め記憶しており、新規診療種別に関連付けられた解析処理の種別をこのテーブル情報から特定し、特定された解析処理の種別を表す情報と、この解析処理に供される検査データとを解析部９２に送る。
【０１２９】
解析部９２は、レポート作成部６０からの情報を受信して解析処理を実行し、その結果をレポート作成部６０に送る。レポート作成部６０は、解析部９２からの解析結果を受信し、この解析結果をレポートテンプレートの既定の提示情報に埋め込む。他の検査データについてもレポートテンプレートに埋め込まれる。それにより、当該患者の検査レポートが作成される。
【０１３０】
このように構成された眼科情報処理システム２００によれば、或る検査データを解析する機能が医療機関内に無い場合であっても、その検査データの解析をシステム側で実行してその結果を含む検査レポートを提供することができる。この眼科情報処理システム２００は、たとえば、医療機関に設置された検査装置の機能に制限がある場合や、最新の解析アプリケーションを医療機関が有しない場合などに有効である。
【０１３１】
〈第４の実施形態〉
検査レポートを閲覧しているときに他の検査データを参照する必要が生じる場合がある。本実施形態では、このような要請を満足するための眼科情報処理システムについて説明する。
【０１３２】
図１３は、本実施形態に係る眼科情報処理システムの構成の一例を表す。眼科情報処理システム３００は、第１の実施形態と同様の構成要素を含む。さらに、眼科情報処理システム３００は操作部９３を備える。
【０１３３】
操作部９３は、医師が使用するコンピュータ端末に設けられている。操作部９３は、たとえば、マウス等のポインティングデバイスを含む。また、たとえばタッチパネルが適用される場合などには、操作部９３は表示部８０と一体のデバイスとして構成される。
【０１３４】
レポート作成部６０は、検査データ格納部２０に格納されている当該患者の検査データのリストを生成し、このリストを検査レポートとともに表示制御部７０に送る。リストを生成する処理は、たとえば次のようにして実行される。
【０１３５】
検査データ取得部５０は、当該患者のファイルに格納されている検査データの属性情報を取得する。属性情報には、患者識別子、診療種別、検査日、検査種別（検査データの種別）、検査回数、左眼／右眼などの項目が含まれる（図５、図８等を参照）。このような属性情報は、たとえば、検査データの格納時やその後の任意のタイミングで作成され、検査データ格納部２０等に保管される。或いは、新規検査データの入力に対応し、検査データ取得部５０またはレポート作成部６０等がファイル内の情報に基づいて属性情報を作成するように構成することも可能である。
【０１３６】
なお、当該患者のファイル内の全ての検査データに関する属性情報を取得してもよいし、その一部のみを取得するようにしてもよい。後者の例として、後段の処理において検査レポートに提示される検査データ以外の当該患者の検査データの一部または全部について、属性情報を取得することができる。属性情報の取得対象となる検査データは、たとえば、診療種別や検査日等に基づいて決定される。
【０１３７】
レポート作成部６０は、取得された属性情報のリストを作成する。リストにおける属性情報の配列順序は予め設定される。たとえば、属性情報の項目（診療種別、検査日、検査種別等）に関する優先順位が予め設定され、この優先順位に基づいて複数の検査データの属性情報がグループ分けされ、リスト化される。優先順位は、デフォルトで設定されてもよいし、ユーザにより任意に設定されてもよい。レポート作成部６０は、作成されたリストを検査レポートとともに表示制御部７０に送る。
【０１３８】
表示制御部７０は、レポート作成部６０から受信したリストを表示部８０に表示させる。たとえば、表示制御部７０は、検査レポートとともにリストを表示させる。リストは、たとえば検査レポートの周辺位置に表示される。或いは、表示制御部７０は、所定の操作によりリストの表示／非表示を切り替えるようにしてもよい。表示されるリストは、文字列情報（属性情報の項目等）を含んでいてよい。また、表示されるリストは、サムネイル等の画像を含んでいてもよい。
【０１３９】
ユーザ（医師）は、リストに提示されている属性情報（検査データ）のうちから所望の１つ以上を、操作部９３を用いて指定することができる。表示制御部７０は、指定された属性情報に対応する信号を（レポート作成部６０等を経由して、または直接に）検査データ取得部５０に送る。この信号を受信した検査データ取得部５０は、当該属性情報に対応する検査データを検査データ格納部２０から取得する。そして、検査データ取得部５０は、取得された検査データを（レポート作成部６０等を経由して、または直接に）表示制御部７０に送る。表示制御部７０は、検査データ取得部５０からの検査データを受信し、それを表示部８０に表示させる。
【０１４０】
或いは、表示制御部７０は、受信した検査データの属性情報を参照用検査データのリストに追加する。参照用検査データのリストに提示されている属性情報は、検査データ格納部２０から読み出された検査データに対応する。ユーザは、参照用検査データのリストに提示されている属性情報のうち所望のものを、操作部９３を用いて指定することができる。表示制御部７０は、指定された属性情報に対応する検査データを表示部８０に表示させる。
【０１４１】
このように構成された眼科情報処理システム３００によれば、検査レポートに提示されていない検査データを適宜に提供することができるので、診療に掛かる作業を支援することが可能である。
【０１４２】
〈第５の実施形態〉
一般に、患者に対して施された診療の内容は電子カルテに記入される。作成された電子カルテは、次回の診療時やカンファレンスなどにおいて参照される。その際、検査レポートの内容を確認したい場合がある。本実施形態では、このような要請を満足するための眼科情報処理システムについて説明する。
【０１４３】
図１４は、本実施形態に係る眼科情報処理システムの構成の一例を表す。眼科情報処理システム４００は、第１の実施形態と同様の構成要素を含む。さらに、眼科情報処理システム４００は、操作部９３と、電子カルテ編集部９４とを備える。
【０１４４】
操作部９３は、第４の実施形態と同様にマウス等のポインティングデバイスを含んでいてよい。また、本実施形態の操作部９３は、電子カルテへの入力を行うためのキーボード等を含んでいてよい。
【０１４５】
電子カルテ編集部９４は、電子カルテに関する各種の処理を実行する。まず、電子カルテ編集部９４は、たとえばユーザからの要求に応じて、電子カルテサーバー１０００から電子カルテを取得して表示制御部７０に送る。表示制御部７０は、電子カルテ編集部９４から受信した電子カルテを表示部８０に表示させる。なお、電子カルテサーバー１０００は、医療機関の内部または外部に配置されたサーバーおよびデータベースを含み、患者ごとの電子カルテを管理する。電子カルテサーバー１０００は、眼科情報処理システム４００に含まれなくてもよいし、含まれていてもよい。
【０１４６】
さらに、電子カルテ編集部９４は、ユーザからの指示に応じて電子カルテを編集する。電子カルテの編集には、過去の電子カルテを編集することだけでなく、新たな電子カルテに情報を記入することも含まれる。電子カルテの編集は、操作部９３を用いて行われる。
【０１４７】
以上は、電子カルテに関する一般的な処理である。本実施形態の電子カルテ編集部９４は、表示制御部７０により表示部８０に表示された検査レポートを電子カルテに貼り付ける機能を有する。この機能の例として、電子カルテの所定位置に検査レポートを埋め込む機能や、検査レポートに基づく情報（サムネイル等の画像や、検査レポート名・検査種別等の文字列情報など）を作成して検査レポートの所定位置に貼り付けるとともに当該検査レポートを当該情報に関連付ける機能などがある。電子カルテに貼り付けられたオブジェクトが指定されると（たとえば、それがクリックされると）、表示制御部７０は、それに対応する検査レポートを表示させる。
【０１４８】
電子カルテ編集部９４は、検査レポートが貼り付けられた電子カルテを電子カルテサーバー１０００に格納する。
【０１４９】
このように構成された眼科情報処理システム４００によれば、電子カルテに検査レポートを貼り付けることができるので、医師による電子カルテの閲覧作業を支援することが可能である。
【０１５０】
〈第６の実施形態〉
眼科診療においては様々な画像が参照される。眼科情報処理システムをクライアント・サーバーモデルとして構築する場合のように、ネットワークを通じた情報のやりとりが介在する場合、データ量の大きい画像はトラフィックの妨げとなるおそれがある。本実施形態では、このような問題を解決するために、データの通信量を低減させることを意図した構成について説明する。
【０１５１】
［構成］
図１５は、本実施形態に係る眼科情報処理システムの構成の一例を表す。眼科情報処理システム２は、クライアント・サーバーモデルとして構成されており、データベース３と、サーバー４と、院内装置５と、記憶制御装置６と、記憶装置７と、レポート作成装置８と、クライアント９ｎ（ｎ＝１〜Ｎ）とを含む。
【０１５２】
データベース３とサーバー４は、インターネットや専用回線等のＷＡＮ上に設けられている。院内装置５ｍ（ｍ＝１〜Ｍ）、記憶制御装置６、記憶装置７、レポート作成装置８およびクライアント９ｎは、医療機関内に設けられている。
【０１５３】
（データベース３）
データベース３は、サーバー４によりアクセス可能な記憶装置とデータベース管理ソフトウェアとを含む。なお、データベース３はサーバー４と一体的に構成されていてもよい。
【０１５４】
データベース３には、テンプレート格納部１０と検査データ格納部２０とが設けられている。第１の実施形態と同様に、テンプレート格納部１０は、診療種別ごとのレポートテンプレートを格納し、且つ、検査データ格納部２０は、過去に取得された検査データを患者ごとに格納する。
【０１５５】
（サーバー４）
サーバー４は、それぞれのクライアント９ｎに各種の情報を提供する。特に、サーバー４は、レポートテンプレートや検査データ等をデータベース３から取得して検査レポートを作成するための機能と、作成された検査レポートをクライアント９ｎに提供する機能とを含む。本実施形態において、サーバー４が作成する検査レポートは、ユーザに提示される最終的な検査レポートではなく、その中間的な情報である場合がある。検査レポートが画像を含む場合がそのようなケースに相当する。
【０１５６】
サーバー４は、テンプレート取得部４０と、検査データ取得部５０と、レポート作成部６２と、通信部９５とを含む。第１の実施形態と同様に、テンプレート取得部４０は、後述の情報受付部３０により受け付けられた新規診療種別に対応するレポートテンプレートをテンプレート格納部１０から取得し、且つ、検査データ取得部５０は、情報受付部３０により受け付けられた患者識別子に基づいて検査データ格納部２０から過去の検査データを取得する。
【０１５７】
レポート作成部６２は、第１の実施形態のレポート作成部６０の一部の機能を有する。具体的には、レポート作成部６２は、最終的な検査レポートに画像が含まれない場合にはレポート作成部６０と同様の処理を実行する。一方、最終的な検査レポートに画像が含まれる場合、レポート作成部６２は、第１の実施形態のレポート作成部６０が実行する処理のうち、検査レポートに画像を埋め込む処理（関連付ける処理）以外の処理を実行する。
【０１５８】
通信部９５は、サーバー４が接続されている通信回線（ネットワーク）に準拠した通信インターフェイスを含む。特に、通信部９５は、院内装置５との間の通信と、レポート作成装置８との間の通信とを実行する。
【０１５９】
（院内装置５ｍ）
院内装置５ｍ（ｍ＝１〜Ｍ）は、医療機関に設置された任意の形態の装置である。院内装置５ｍは、たとえば、クライアント９ｎのいずれかでもよいし、医療機関内で用いられるコンピュータ（サーバー、特定機能用コンピュータ等）でもよいし、眼科検査装置でもよい。院内装置５ｍ（ｍ＝１〜Ｍ）は、たとえば、第ｋの医療機関で使用されるクライアント９ｍｋ（ｍｋ＝１〜Ｍｋ）を含む（ｋ＝１〜Ｋ、Ｍ１＋Ｍ２＋・・・＋ＭＫ＝Ｍ）。
【０１６０】
院内装置５ｍは情報受付部３０を含む。情報受付部３０は、第１の実施形態と同様に、患者に対して新たに実施された診療行為の種別を表す新規診療種別と、この診療行為により取得された新規検査データと、この患者に付与された患者識別子とを受け付ける。
【０１６１】
さらに、院内装置５ｍは通信部９６を含む。通信部９６は、院内装置５ｍが接続されているネットワークに準拠した通信インターフェイスを含む。特に、通信部９６は、サーバー４との間の通信と、記憶制御装置６との間の通信とを実行する。
【０１６２】
（記憶制御装置６、記憶装置７）
記憶制御装置６および記憶装置７は、それぞれの医療機関に設置されている。記憶装置７は、画像を格納可能であり、たとえばＰＡＣＳ等の画像データ記憶装置を含む。記憶制御装置６は、院内装置５ｍの情報受付部３０により受け付けられた新規検査データに画像が含まれている場合に、その画像を記憶装置７に記憶させる。
【０１６３】
（レポート作成装置８）
レポート作成装置８は、第１の実施形態のレポート作成部６０の一部の機能を有する。具体的には、レポート作成部６２は、最終的な検査レポートに画像が含まれる場合、記憶装置７に記憶された当該患者の画像を読み出し、この画像を検査レポートの所定の提示領域に埋め込む（または、この画像を所定の提示領域に関連付ける）。最終的な検査レポートに画像が含まれない場合、レポート作成装置８は何の処理も実行しなくてよい。
【０１６４】
レポート作成装置８は、クライアント９ｎに搭載されたアプリケーションを含んでいてよい。つまり、クライアント９ｎがレポート作成装置８として機能するよう構成することができる。
【０１６５】
（クライアント９ｎ）
クライアント９ｎは、ユーザに検査レポートを提示する機能を有する。クライアント９ｎは、たとえば、医師が使用するコンピュータ端末である。クライアント９ｎ（ｎ＝１〜Ｎ）は、たとえば、第ｋの医療機関で使用されるクライアント９ｎｋ（ｎｋ＝１〜Ｎｋ）を含む（ｋ＝１〜Ｋ、Ｎ１＋Ｎ２＋・・・＋ＮＫ＝Ｎ）。なお、クライアント９ｎは、医療機関の外部の任意の場所で使用可能であってよい。また、単一のクライアント９ｎを異なる医療機関にて使用可能に構成されてもよい。
【０１６６】
クライアント９ｎは、第１の実施形態と同様の表示制御部７０および表示部８０を含む。さらに、クライアント９ｎは、第４または第５の実施形態と同様の操作部９３を含む。
【０１６７】
［使用形態］
眼科情報処理システム２の使用形態について説明する。図１６は、眼科情報処理システム２の使用形態の一例を表す。
【０１６８】
（Ｓ２１：情報の送信）
第１の実施形態のステップＳ１と同様にして眼科検査装置により患者の検査が実施される。本例では、被検眼の撮影も実施されたとする。院内装置５ｍが眼科検査装置でない場合、患者識別子、新規検査種別および新規検査データが院内装置５ｍに入力される。院内装置５ｍは、たとえば、患者識別子と、新規検査データのうち（少なくとも）画像を記憶制御装置６に送る。また、院内装置５ｍは、患者識別子、新規検査種別および新規検査データをサーバー４に送る。
【０１６９】
（Ｓ２２：情報の受信）
記憶制御装置６は、ステップＳ２１で院内装置５ｍから送信された患者識別子と画像とを受信する。
【０１７０】
（Ｓ２３：画像の記憶）
記憶制御装置６は、ステップＳ２２で受信した患者識別子と画像とを記憶装置７に記憶させる。
【０１７１】
（Ｓ２４：情報の受信）
ステップＳ２２およびステップＳ２３と並行して、サーバー４は、ステップＳ２１で院内装置５ｍから送信された患者識別子、新規検査種別および新規検査データを受信する。
【０１７２】
（Ｓ２５：テンプレートの取得）
テンプレート取得部４０は、第１の実施形態のステップＳ３と同様に、ステップＳ２４で受信した新規診療種別に対応するレポートテンプレートをテンプレート格納部１０から取得する。
【０１７３】
（Ｓ２６：過去検査データの取得）
検査データ取得部５０は、第１の実施形態のステップＳ４と同様に、ステップＳ２４で受信した患者識別子に基づいて、検査データ格納部２０から過去の検査データを取得する。取得される検査データには、過去に取得された画像が含まれている。なお、医療機関に設置された記憶装置７に過去の画像が記憶されている場合、検査データ格納部２０から画像を取得する必要はない。
【０１７４】
（Ｓ２７：検査レポートの作成）
レポート作成部６２は、ステップＳ２５で取得されたレポートテンプレートと、ステップＳ２６で取得された過去検査データとに基づいて、検査レポートを作成する。ここで作成される検査レポートには、少なくとも今回の検査で取得された画像は含まれない。また、記憶装置７に過去の画像が記憶されている場合、この検査レポートには、過去の画像も含まれていなくてよい。
【０１７５】
（Ｓ２８：検査レポートの送信）
サーバー４の通信部９５は、ステップＳ２７で作成された検査レポートをレポート作成装置８に送る。
【０１７６】
（Ｓ２９：検査レポートの受信）
レポート作成装置８は、ステップＳ２８でサーバー４から送信された検査レポートを受信する。この検査レポートには患者識別子が含まれている。
【０１７７】
（Ｓ３０：画像の読み出し）
レポート作成装置８は、ステップＳ２９で受信した患者識別子に対応する画像を記憶装置７から読み出す。読み出される画像には、少なくとも今回の検査で取得された画像が含まれる。また、記憶装置７に過去の画像が記憶されている場合、過去の画像も読み出すことができる。
【０１７８】
（Ｓ３１：画像の埋め込み）
レポート作成装置８は、ステップＳ２９で受信した検査レポートに、ステップＳ３０で読み出された画像を埋め込む（または、検査レポートの所定の提示領域に画像を関連付ける）。
【０１７９】
（Ｓ３２：検査レポートの送信）
レポート作成装置８は、ステップＳ３１で作成された検査レポートをクライアント９ｎに送る。
【０１８０】
（Ｓ３３：検査レポートの受信）
クライアント９ｎは、ステップＳ３２でレポート作成装置８から送信された検査レポートを受信する。
【０１８１】
（Ｓ３４：検査レポートの表示）
クライアント９ｎの表示制御部７０は、ステップＳ３３で受信した検査レポートを表示部８０に表示させる。
【０１８２】
［効果］
本実施形態に係る眼科情報処理システム２の効果を説明する。
【０１８３】
眼科情報処理システム２は、少なくとも第１の実施形態と同様の構成要素を含む。さらに、眼科情報処理システム２は、第２〜第５の実施形態のいずれかと同様の構成要素を含んでいてもよい。また、眼科情報処理システム２は、第１〜第５の実施形態のうち任意の２つ以上の組み合わせと同様の構成要素を含んでいてもよい。
【０１８４】
眼科情報処理システム２は、クライアント・サーバーモデルを含む。図１５に示す例では、眼科情報処理システム２は、サーバー４と、ネットワークを介してサーバー４と通信可能な複数のクライアント９ｎとを含む。
【０１８５】
テンプレート格納部１０（第１格納部）および検査データ格納部２０（第２格納部）は、サーバー４に設けられたデータベースであってよく、或いは、サーバー４がアクセス可能なデータベースであってよい。
【０１８６】
情報受付部３０（第１受付部）は、クライアント９ｎ、医療機関内で用いられるコンピュータ（第１コンピュータ）および眼科検査装置のうちの少なくとも１つに設けられる。また、眼科情報処理システム２は、情報受付部３０により受け付けられた新規診療種別と新規検査データと患者識別子とをサーバー４に送信する通信部９６（第１通信部）を含む。
【０１８７】
サーバー４は、テンプレート取得部４０と、検査データ取得部５０と、レポート作成部６２とを含む。レポート作成部６２は、レポート作成部（６０）の第１の部分に相当する。レポート作成部（６０）の第２の部分は、クライアント９ｎ、または医療機関内で用いられるコンピュータ（第２コンピュータ）に設けられ、本例においてレポート作成装置８として機能する。
【０１８８】
クライアント９ｎは、表示制御部７０（表示制御部）と表示部８０（表示手段）とを含む。
【０１８９】
さらに、医療機関には、記憶制御装置６（記憶制御部）と記憶装置７（記憶装置）とが設置されている。記憶制御装置６は、情報受付部３０（第１受付部）により受け付けられた新規検査データに画像が含まれている場合に、この画像を記憶装置７に記憶させる。
【０１９０】
レポート作成部６２は、通信部９６により送信された新規診療種別と新規検査データと患者識別子とに基づいて、少なくとも新規検査データに含まれる画像を含まない検査レポートを作成する。
【０１９１】
サーバー４は、レポート作成部６２により作成された検査レポートをレポート作成装置８（クライアント９ｎまたは第２コンピュータ）に向けて送信する通信部９５（第２通信部）を含む。
【０１９２】
レポート作成装置８（レポート作成部の第２の部分）は、記憶装置７に記憶された画像を読み出し、読み出された画像を通信部９５により送信された検査レポートに合成する。この合成処理は、たとえば、埋め込み処理または関連付け処理である。
【０１９３】
クライアント９ｎの表示制御部７０は、レポート作成装置８により画像が合成された検査レポートを表示部８０に表示させる。
【０１９４】
このような眼科情報処理システム２によれば、第１の実施形態と同様に、診療の効率化や省力化を図りつつ、必要な検査データを医師に提供することができる。
【０１９５】
さらに、眼科情報処理システム２によれば、新規に取得された画像をサーバー４から医療機関側に送信しなくてよい。過去に取得された画像を医療機関内で管理する構成が適用される場合には、過去の画像についてもサーバー４から医療機関側に送信する必要がない。したがって、データの通信量を低減させることが可能である。
【０１９６】
以上に説明した構成は、この発明を実施するための一例に過ぎない。よって、この発明の要旨の範囲内における任意の変形（省略、置換、付加等）を適宜に施すことが可能である。適用される構成は、たとえば目的に応じて選択される。また、適用される構成に応じ、当業者にとって自明の作用効果や、本明細書において説明された作用効果が得られる。
【符号の説明】
【０１９７】
１、２、１００、２００、３００、４００  眼科情報処理システム
３  データベース
４  サーバー
５ｍ  院内装置
６  記憶制御装置
７  記憶装置
８  レポート作成装置
９ｎ  クライアント
１０  テンプレート格納部
２０  検査データ格納部
３０  情報受付部
４０  テンプレート取得部
５０  検査データ取得部
６０  レポート作成部
７０  表示制御部
８０  表示部
９１  ユーザ識別子受付部
９２  解析部
９３  操作部
９４  電子カルテ編集部
９５、９６  通信部
【図１】
2019141642.tif 000003
【図２】
2019141642.tif 000004
【図３】
2019141642.tif 000005
【図４】
2019141642.tif 000006
【図５】
2019141642.tif 000007
【図６】
2019141642.tif 000008
【図７】
2019141642.tif 000009
【図８】
2019141642.tif 000010
【図９】
2019141642.tif 000011
【図１０】
2019141642.tif 000012
【図１１】
2019141642.tif 000013
【図１２】
2019141642.tif 000014
【図１３】
2019141642.tif 000015
【図１４】
2019141642.tif 000016
【図１５】
2019141642.tif 000017
【図１６】
2019141642.tif 000018